(57)【特許請求の範囲】
【請求項１】
光透過板で前方を覆われた遊技盤と、これら光透過板と遊技盤とで囲まれた遊技領域と、該遊技領域に打ち出された遊技球を入賞させ得る入賞装置と、を備え、該入賞装置が、前記遊技盤の盤面に垂直な支軸を中心に開放位置と閉塞位置とに回動自在な開閉部材と、を有する弾球遊技機において、
前記開閉部材は、前記開放位置で遊技球を転動させる転動部として、平坦状の第１転動面と、該第１転動面と角度の異なる平坦状の第２転動面と、これら第１及び第２転動面によって山なり状に形成される稜線部と、を備え、
該稜線部は、前記開閉部材の転動部が一平面で形成された場合に複数の遊技球が嵌まって安定化し易い位置に対応して設けられてなる、
ことを特徴とする弾球遊技機。
【請求項２】
前記遊技盤よりも前記光透過板の側に配置されて前記開閉部材の開放状態で入賞口の縁部を形成する前壁部を備え、
前記前壁部における前記入賞口の縁部と、前記開放位置にある前記開閉部材の前記第１転動面とでなす角度が鈍角である、
請求項１に記載の弾球遊技機。
【請求項３】
前記開閉部材を開閉動作させるためのステッピングモータと、該ステッピングモータを駆動制御する制御部と、を備え、
該制御部は、前記開閉部材を全開手前の所定角度位置に停止させて開放状態を形成し、閉塞する際には該所定角度位置から更に開放させてから前記閉塞位置に向かわせるように前記ステッピングモータを制御してなる、
請求項１又は２に記載の弾球遊技機。
【発明の詳細な説明】
【技術分野】
【０００１】
本発明は、パチンコ機等の弾球遊技機に係り、詳しくは、遊技球を開閉部材によって入賞させる構造の入賞装置を遊技領域に備えた弾球遊技機に関する。
【背景技術】
【０００２】
従来より、弾球遊技機として、所謂第１種パチンコ機と称されるパチンコ機では、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されている。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる、遊技領域下部の大入賞装置（下部アタッカー）が開放し、入球に対応して多量の遊技球が払い出される状態となる。
【０００４】
ところで、上述のような大入賞装置（下部アタッカー）を有する弾球遊技機では、該大入賞装置の開閉扉とその前面を覆っているガラス板の内面との間に遊技球が挟まったり、大入賞装置側のソレノイドと開閉扉とを連結する機構に異常が生じたりする等で、上記ソレノイドを励磁しているにも拘わらず開閉扉が開放しない等の不都合を生じることがあった。パチンコ機では、ソレノイドの励磁時間によって大入賞装置の所定の開放時間が設定されるため、大入賞装置が実際に開放されることなく所定時間が経過すると、得られるべき賞球を受けられないという不利益を遊技者が被ってしまう等の問題を生じることになる。
【０００５】
そこで、このような問題を解消するように構成した弾球遊技機が提案されている（特許文献１参照）。該弾球遊技機では、大入賞装置（下部アタッカー）を有する変動入賞装置の開閉扉を開放するようにソレノイドを制御しても開放検出用センサからの検出信号が得られない場合（即ち、開閉扉が開放していない場合）には、開閉扉を一旦閉塞させる（閉じ方向に回動させる）ように構成している。これにより、大入賞装置の開閉扉とガラス板内面との間に遊技球が挟まっている場合等には、該遊技球を落下させて球詰まりを解消することができる。
【先行技術文献】
【特許文献】
【０００６】
【特許文献１】特開２００１−３２７６８６号公報
【発明の概要】
【発明が解決しようとする課題】
【０００７】
しかし、上記特許文献１記載の弾球遊技機の構成は、遊技領域下部に位置する大入賞装置（下部アタッカー）に対しては有効であるが、次のような構成を有する弾球遊技機の上部アタッカーに対しては効果を期待することはできなかった。即ち、近年、遊技領域の下部に第１大入賞装置（下部アタッカー）を配置すると共に、遊技領域中央部に配置したセンター役物の上部に第２大入賞装置（上部アタッカー）を設けた弾球遊技機が現出している。このような弾球遊技機では、始動入賞口（始動チャッカー）への入賞を契機として、第１大入賞装置を開閉動作させて多量の賞球を得るための第１の大当たりと、第２大入賞装置を開閉動作させて多量の賞球を得るための第２の大当たりとに関する当たり抽選を行い、第１の大当たりに当選した際には、第１大入賞装置を所定ラウンド数を満たす間、開閉動作させて多数の遊技球の入賞を許容し、また第２の大当たりに当選した際には、第２大入賞装置を所定ラウンド数を満たす間、開閉動作させて多数の遊技球の入賞を許容する。
【０００８】
このような近年の弾球遊技機における第２大入賞装置（上部アタッカー）は、遊技盤面に垂直な軸を支点として開閉動作する開閉部材（いわゆる羽根）を有し、ソレノイドの励磁、非励磁の切り換えにより該開閉部材を開閉動作させる構造のため、該開閉部材とその前方の前壁部内面と後方の後壁部との間に複数の遊技球が引っ掛かって嵌まり、球詰まりを発生する虞がある。
【０００９】
このように第２大入賞装置（上部アタッカー）で球詰まりを生じる虞のある構造を備えた弾球遊技機には、上記特許文献１に記載の球詰まり解除の構成を適用することはできない。即ち、球詰まり発生時に開閉部材を一旦閉塞するように動作させようとしても、該開閉部材そのものが閉塞方向に動くことが困難になるため、上部アタッカーでの球詰まりの解除は極めて困難となる。
【００１０】
そこで本発明は、遊技盤に垂直な方向の支軸を中心に開閉動作する開閉部材を有する入賞装置を備えるものでありながら、開閉部材が開閉動作して遊技球を受け入れる際に生じる虞のある球詰まりを、簡単な構成によって可及的に防止し得るようにした弾球遊技機を提供することを目的とする。
【課題を解決するための手段】
【００１１】
請求項１に係る本発明は（例えば図１ないし図１５参照）、光透過板（１２）で前方を覆われた遊技盤（１０）と、これら光透過板（１２）と遊技盤（１０）とで囲まれた遊技領域（ＰＡ）と、該遊技領域（ＰＡ）に打ち出された遊技球（Ｂａ）を入賞させ得る入賞装置（１４）と、を備え、該入賞装置（１４）が、前記遊技盤（１０）の盤面に垂直な支軸（３９）を中心に開放位置（図４の二点鎖線で示す位置）と閉塞位置（図４の一点鎖線で示す位置）とに回動自在な開閉部材（３５）と、を有する弾球遊技機（ＰＭ）において、
前記開閉部材（３５）は、前記開放位置で遊技球（Ｂａ）を転動させる転動部として、平坦状の第１転動面（３５ａ）と、該第１転動面（３５ａ）と角度の異なる平坦状の第２転動面（３５ｂ）と、これら第１及び第２転動面（３５ａ，３５ｂ）によって山なり状に形成される稜線部（３５ｃ）と、を備え、
該稜線部（３５ｃ）は、前記開閉部材（３５）の転動部が一平面で形成された場合に複数の遊技球（例えばＢａ１，Ｂａ２）が嵌まって安定化し易い位置（Ａ）に対応して設けられてなる、
ことを特徴とする弾球遊技機（ＰＭ）にある。
【００１２】
請求項２に係る本発明は（例えば図４及び図５参照）、前記遊技盤（１０）よりも前記光透過板（１２）の側に配置されて前記開閉部材（３５）の開放状態で入賞口（４８）の縁部（３７ａ）を形成する前壁部（３７）を備え、
前記前壁部（３７）における前記入賞口（４８）の縁部（３７ａ）と、前記開放位置（図４の二点鎖線で示す位置）にある前記開閉部材（３５）の前記第１転動面（３５ａ）とでなす角度（θ）が鈍角である、
請求項１に記載の弾球遊技機（ＰＭ）にある。
【００１３】
請求項３に係る本発明は（例えば図１２ないし図１４参照）、前記開閉部材（３５）を開閉動作させるためのステッピングモータ（４１）と、該ステッピングモータ（４１）を駆動制御する制御部（３０）と、を備え、
該制御部（３０）は、前記開閉部材（３５）を全開手前の所定角度位置（図１３（ａ）に示す位置）に停止させて開放状態を形成し、閉塞する際には該所定角度位置から更に開放させてから前記閉塞位置（図４の一点鎖線で示す位置）に向かわせるように前記ステッピングモータ（４１）を制御してなる、
請求項１又は２に記載の弾球遊技機（ＰＭ）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、開閉部材が、開放位置で遊技球を転動させる転動部として、平坦状の第１及び第２転動面と、これら第１及び第２転動面によって山なり状に形成される稜線部とを備え、該稜線部は、開閉部材の転動部が一平面で形成された場合に複数の遊技球が嵌まって安定化し易い位置に対応して設けられるので、開閉部材が開放した際、上記安定化し易い位置において複数の遊技球が開閉部材と、前壁部内面と、該前壁部に対向する後壁部との間に引っ掛かって互いに挟まる状態になろうとしても、これら複数の遊技球のバランスを稜線部において極めて有効に崩すことができる。これにより、球詰まりのような不都合の発生を可及的に防止することができる。しかも、このような球詰まり防止構造は、第１転動面を有する開閉部材に稜線部及び第２転動面を形成するという極めて簡単な工程で実現可能であるため、製品コストの削減を図ることができる。
【００１６】
請求項２に係る本発明によると、前壁部における入賞口の縁部と、開放位置にある開閉部材の第１転動面とでなす角度が鈍角であるので、開閉部材と光透過板内面との間で球詰まりが生じようとしても、それら遊技球は、上記角度が鋭角であるような場合に比して、開閉部材が閉塞位置に戻る際の力で前壁部の縁部に沿ってやや移動されてバランスを崩される。これにより、開閉部材に稜線部及び第２転動面を設けた球詰まり防止構造による効果を、より高めることができる。
【００１７】
請求項３に係る本発明によると、開閉部材を全開手前の所定角度位置に停止させて開放状態を形成し、閉塞する際には該所定角度位置から更に開放させてから閉塞位置に向かわせるようにステッピングモータを制御するので、仮に球詰まりが生じそうになったとしても、球詰まりを確実に崩しつつ、開閉部材を閉塞位置に円滑に復帰させることができる。このため、開放位置と閉塞位置との間での開閉部材の開閉動作が複数回行われる際に、開閉部材の稜線部による球詰まり解消の効果と共に、ステッピングモータによる開閉部材の開放角度の変化による球詰まり解消の効果も得ることができ、従って、二重の球詰まり解消効果を期待することができる。
【図面の簡単な説明】
【００１８】
【図１】本発明に係るパチンコ機の外部構造を示す正面図である。
【図２】本パチンコ機の背面構造を示す背面図である。
【図３】本パチンコ機における遊技盤を示す正面図である。
【図４】本発明に係る第１の実施形態における第２大入賞装置の開閉部材を開放状態で示す正面図である。
【図５】第１の実施形態における第２大入賞装置の開閉部材を開放状態で示す斜視図である。
【図６】第１の実施形態における第２大入賞装置の前壁部等を外して開閉部材を開放させた状態で示す斜視図である。
【図７】第１の実施形態における第２大入賞装置の前壁部等を外して開閉部材を閉塞させた状態で示す斜視図である。
【図８】（ａ）は第１の実施形態における開放状態の開閉部材を裏側から見た状態で示す背面図、（ｂ）は該開閉部材を単体で拡大して示す斜視図、（ｃ）は稜線部及び第２転動面が形成されない開閉部材を第２大入賞装置を裏側から見た状態を示す背面図である。
【図９】（ａ）は図８（ａ）の状態を模式的に示す図、（ｂ）は図９（ａ）の状態から遊技球のバランスが崩れた状態を模式的に示す図である。
【図１０】（ａ）は縁部と鈍角をなす開閉部材を開放状態で示す正面図、（ｂ）は（ａ）を左側方から見た状態で示す側面図である。
【図１１】（ａ）は縁部と鋭角をなす開閉部材を開放状態で示す正面図、（ｂ）は（ａ）を左側方から見た状態で示す側面図である。
【図１２】（ａ）は第２の実施形態における第２大入賞装置の開閉部材を閉塞状態で示す正面図、（ｂ）は（ａ）を裏側から見た状態で示す背面図である。
【図１３】（ａ）は第２の実施形態における球詰まり状態を示す正面図、（ｂ）は（ａ）を裏側から見た状態で示す背面図である。
【図１４】（ａ）は第２の実施形態における球詰まり解除状態を示す正面図、（ｂ）は（ａ）を裏側から見た状態で示す背面図である。
【図１５】（ａ）は変形例における球詰まり状態を示す正面図、（ｂ）は（ａ）を斜め上方から見た状態で示す斜視図、（ｃ）は（ａ）を裏側から見た状態で示す背面図である。
【発明を実施するための形態】
【００１９】
＜第１の実施形態＞
以下、本発明に係る弾球遊技機の実施形態として、遊技場等に設置されるパチンコ機ＰＭを図面に沿って説明する。なお、本実施形態は、所謂第１種パチンコ機の機能を備えたパチンコ機を例に挙げて説明するが、本発明はこれに限らず、所謂第２種パチンコ機の機能を備えるパチンコ機（所謂、羽根モノ）にも適用し得る。
【００２０】
本パチンコ機（弾球遊技機）ＰＭは、図１に示すように、外郭方形枠サイズに構成されて縦向きの固定保持枠をなす外枠１の開口前面に前枠２が取り付けられている。該前枠２は、外枠１に合わせた方形枠サイズに構成され、開閉搭載用の前枠２の左側上下部に対向するように配設されたヒンジ部材３ａ，３ｂを介して横開き開閉及び着脱を可能に取り付けられている。なお、符号４は、前枠２を外枠１に閉鎖状態に保持する施錠装置である。
【００２１】
前枠２の各部には、パチンコ遊技を展開する遊技展開部材として、前枠２の前側面域に合わせた方形状のガラス扉５及び球皿６（上皿６ａ，下皿６ｂ）が、正面左側部に設けられたヒンジ機構７ａ，７ｂ，７ｃを介して横開き開閉及び着脱可能に組付けられている。球皿６の右側下部には、遊技球Ｂａの発射操作を行う操作ハンドル８が装備されている。上皿６ａの中央上部には、遊技者を弾球遊技に参加させるための遊技ボタン９が配設されている。
【００２２】
前枠２の背面には、該前枠２の中央部から上部にかけて後方に突出する方形枠状の収容枠２８（図２参照）が取り付けられている。前枠２には、所定のゲージ設定で構成された遊技盤１０が着脱可能にセット保持され、常には閉鎖保持されるガラス扉５に遊技盤１０正面の遊技領域ＰＡを臨ませている。なお、外枠１及び前枠２等により遊技機本体が構成されている。ガラス扉５の前面には透明ガラス板（光透過板）１２が装着されており、該透明ガラス板１２により遊技盤１０の前方が覆われている。透明ガラス板１２と遊技盤１０との間には、これら透明ガラス板１２と遊技盤１０とで囲まれた遊技領域ＰＡが設けられている。
【００２３】
遊技盤１０の遊技領域ＰＡには、図示しない障害釘が多数打ち込まれており、遊技領域ＰＡの中央部近傍には、センター飾り１３が配設されている。該センター飾り１３の中央上部には、第２大入賞装置１４が配置されている。センター飾り１３の中央部には矩形状の開口部１５が形成されており、該開口部１５には、遊技に関する演出表示を行う不図示の画像表示装置がその表示部を露出した状態で配置されている。
【００２４】
センター飾り１３は、ワープ導入口１６を開口部１５の左側部に位置するように有しており、該ワープ導入口１６は、導入した遊技球Ｂａを、開口部１５の下部に位置するステージＳに導くように構成されている。ワープ導入口１６から導入された遊技球は、ステージＳに向けて開口する放出口２４から該ステージＳに放出され、該ステージＳ上を転がり移動した後、下方に落下して始動入賞装置（始動入賞口）に入賞し、或いは、該始動入賞装置には入賞せずに遊技領域ＰＡに流下して下側のアウト口２３から遊技盤裏面側に排出される。
【００２５】
遊技領域ＰＡの下部には、電動開閉式（所謂チューリップ状）の上記始動入賞装置（始動入賞口）を配置するための開口１７が形成されている。該始動入賞装置への入賞は、当たり抽選（特別図柄抽選）実行の契機となり得るものであるが、該入賞に基づく抽選結果が所定回数分保留されている状態では当たり抽選実行の契機とはならない。該始動入賞装置の直上方には、所謂命釘としての一対の障害釘１８が打ち込まれている。該一対の障害釘１８の間を遊技球が通過すると、該遊技球は、始動入賞装置内に設けられた入賞検出センサ（図示せず）で検出された後、遊技盤１０の裏面側へ排出される。
【００２６】
遊技領域ＰＡにおける上記始動入賞装置の下方には、開閉可能な蓋体１９ａを有する第１大入賞装置１９を配設するための開口２０が形成されている。該第１大入賞装置１９は、大当たり遊技等の通常遊技よりも遊技者に有利となる特別遊技の実行中に、第１大入賞装置ソレノイド（図示せず）の作動で蓋体１９ａを所定時間ずつ（又は所定数の遊技球が入賞する毎）、所定回数（所定ラウンド）だけ開放させる。
【００２７】
上記第１大入賞装置１９は、遊技領域ＰＡの下部に設けられた矩形状の入賞口を有しており、蓋体１９ａが閉鎖状態にあるとき遊技球は該入賞口を通過することができず、開放状態になったときに該入賞口を通過することが可能となる。該入賞口を通過した遊技球は、第１大入賞装置１９内に設けられた入賞検出センサ（図示せず）によって検出された後、遊技盤１０の裏面側へ排出される。
【００２８】
遊技領域ＰＡにおけるセンター飾り１３の左方には、不図示の普通図柄作動ゲートを配設するための開口２１が形成されている。該普通図柄作動ゲートは、上記チューリップ状の始動入賞装置を開閉動作させるための抽選（普通図柄抽選）の契機となる遊技球の通過が行われるものである。
【００２９】
また、遊技領域ＰＡの左下部には、不図示の普通入賞装置の入賞口ユニットを配設するための開口２２が設けられている。流下してくる遊技球が該普通入賞装置の普通入賞口（図示せず）を通過すると、該遊技球は、普通入賞装置内に設けられた入賞検出センサ（図示せず）で検出された後、遊技盤１０の裏面側へ排出される。また、遊技領域ＰＡの下端部には、遊技領域ＰＡに打ち出された後、いずれの入賞装置にも入賞せずに流下してきた遊技球を遊技盤裏面側に排出するアウト口２３が設けられている。なお、上述の複数の入賞検出センサ（図示せず）は、いずれも近接センサ等で構成されている。
【００３０】
球皿６に前面側が覆われた前枠２の下部領域には、遊技補助盤（図示せず）と称される補助機構部が形成されている。この遊技補助盤の各部には、打球発射装置（図示せず）や、裏セット盤２５（図２参照）側の賞球排出通路（図示せず）と連絡され、球皿６に排出できない遊技球を一時貯留する貯留カセット（図示せず）などが設けられている。なお、図１中の符号４７は、操作ハンドル８の操作で打ち出された遊技球Ｂａを遊技領域ＰＡに案内する案内レールである。
【００３１】
前枠２の裏面側には、図２に示すように、外枠１よりもやや小型の方形枠状に形成された裏セット盤２５が、前枠２の裏面に設けられた複数のレバー（図示せず）を介して着脱可能にセット保持されている。裏セット盤２５の各部には、遊技球を貯留する球貯留タンク２７、タンクレール、整列待機通路、賞球カセット、賞球排出通路などの賞球装置が装備されると共に、裏面各部に電源基板２９や主制御基板（図示せず）等の各種制御基板及び電子部品等が取り付けられている。これらの各機器及び遊技盤１０の裏面に取り付けられた副制御基板（図示せず）は、電気的接続ケーブルであるワイヤーハーネス（図示せず）で接続されている。
【００３２】
次に、上述のセンター飾り１３に備えた第２大入賞装置（入賞装置）１４の詳細構成を、図３ないし図１１に沿って説明する。
【００３３】
図３ないし図７に示すように、第２大入賞装置１４は、遊技盤１０の盤面に垂直な支軸３９を中心に開放位置と閉塞位置とに回動自在な開閉部材３５を備えている。該第２大入賞装置１４は、大当たり時、つまり特別遊技状態の発生時に開閉動作して、遊技領域ＰＡに打ち出された遊技球Ｂａを入賞させ得る入賞装置を構成している。なお、上記特別遊技状態とは、一定の賞球を遊技者に付与し得る大当たり等のように遊技者にとって有利な状態を含む概念である。
【００３４】
パチンコ機ＰＭは、上記主制御基板及び副制御基板等を含む制御部３０を有している。該制御部３０は、主制御基板に対応する機能によって当たり抽選に係る制御を実行し、副制御基板に対応する機能によって、画像表示装置及び照明装置を用いた各種演出や、各作動部分の作動制御を実行する。制御部３０による当たり抽選は、上記始動入賞装置（始動入賞口）への入賞を契機として実行されて、第１大入賞装置１９の蓋体１９ａを所定のラウンド数だけ開閉動作させて多量の遊技球を遊技者に提供する第１の大当たり、第２大入賞装置１４の開閉部材３５を所定のラウンド数だけ開閉動作させて多量の遊技球を遊技者に提供する第２の大当たり、及びこれら第１及び第２の大当たりの何れにも該当しない外れ、等を決定するために行われる。
【００３５】
上記制御部３０は、ソレノイド３４（図６参照）のプランジャを進退作動させることにより、第２の大当たりの発生時に開閉部材３５を、図６の反時計回り方向と時計回り方向とに開閉動作させる。なお、図６に破線で示したソレノイド３４は、後壁部３３の裏側（図６の奥側）に配置されており、そのプランジャが、後壁部３３裏側に貫通して突出する支軸３９に、クランクアーム等を介して連結されている。
【００３６】
第２大入賞装置１４は、図４に示すように、装飾を施した装飾パネル３８と、該装飾パネル３８の側方に延長するように固定された前壁部３７とを有している。第２大入賞装置１４における装飾パネル３８及び前壁部３７の内側には、開閉部材３５が、図６及び図７に示すように、遊技盤１０に対して垂直な支軸３９を介してセンター役物１３側に回動自在に支持されている。開閉部材３５近傍における後壁部３３には、第２大入賞装置１４に入賞した遊技球を受け入れて上記検出センサに導く開口４０が形成されており、該開口４０は、上記排出路３６に連通している。なお、図４において、一点鎖線で示す開閉部材３５は閉塞状態（閉塞位置）を示し、二点鎖線で示す開閉部材３５は開放状態（開放位置（ここでは全開位置））を示し、実線で示す開閉部材３５は閉塞位置と全開位置との間の状態を示している。
【００３７】
第２大入賞装置１４に備えた上記開閉部材３５は、上記制御部３０によって作動制御される羽根部材であり、遊技盤１０の盤面に垂直に設けられた支軸３９を中心として回動自在に構成されている。該開閉部材３５は、開放位置（図４の二点鎖線で示す位置）で遊技球Ｂａを転動させる転動部として、平坦状の第１転動面３５ａと、該第１転動面３５ａと角度の異なる平坦状の第２転動面３５ｂと、これら第１及び第２転動面３５ａ，３５ｂによって山なり状に形成される稜線部３５ｃと、を備えている。
【００３８】
稜線部３５ｃは、開閉部材３５の転動部が仮に一平面で形成された場合（例えば図８（ｃ）のような場合）に複数の遊技球（例えば図８（ｃ）におけるＢａ１，Ｂａ２）が嵌まって安定化し易い位置Ａ（図９（ａ）参照）に対応して設けられている。
【００３９】
この位置Ａは、２個の遊技球Ｂａ１，Ｂａ２がバランスをとってしまう位置を意味するもので、例えば第２大入賞装置１４を大当たり時の開閉作動状態にして、操作ハンドル８の操作で実際に遊技領域ＰＡに遊技球Ｂａを発射し、所定の発射数に対応する球詰まり発生回数、及び球詰まり発生時の位置を検証し、該検証に基づいて開閉部材３５の転動部での、複数の遊技球が嵌まって安定化し易い位置を特定したものである。なお、図３における符号３６は排出路を示しており、該排出路３６は、第２の大当たり発生時に開閉部材３５の開閉動作で入賞させられる遊技球を第２大入賞装置１４内の検出センサ（図示せず）で検出した後に遊技盤裏面に排出するためのものである。
【００４０】
図５に示すように、上記前壁部３７は、遊技盤１０よりも透明ガラス板１２側に配置され、かつ開閉部材３５の開放状態で入賞口４８の縁部３７ａを形成している。図５及び図６に示すように、第２の大当たりが発生して開閉部材３５が開放した際に形成される入賞口４８の奥側には、開放した開閉部材３５の第１転動面３５ａで案内されて入賞口４８から導入された遊技球を開口４０に向けて移動させる遊技球導入路２６が設けられている。
【００４１】
該遊技球導入路２６は、図５〜図７に示すように、装飾パネル３８と前壁部３７と後壁部３３と上壁部３１とで囲まれるように、開閉部材３５の開放時に遊技球Ｂａを受け入れる部位として入賞口４８の奥側に設けられている。図５に示すように、前壁部３７における入賞口４８の縁部３７ａと、開放位置にある開閉部材３５の第１転動面３５ａとでなす角度θは、鈍角（９０゜を超える角度）に設定されている。なお、図６及び図７は、装飾パネル３８及び前壁部３７を取り外した状態で描いている。
【００４２】
図６に示すように、開閉部材３５は全体的に略直角三角形状を呈しており、第１転動面３５ａが、開放状態において、入賞口４８の外側から遊技球導入路２６内方に向かって下降するように傾斜し、第２転動面３５ｂが、開放状態において、稜線部３５ｃから開口４０に向かって第１転動面３５ａよりも大きな角度で下降するように傾斜している。また、開閉部材３５は、転動部としての球導入辺Hが、第１転動面３５ａと、第２転動面３５ｂと、稜線部３５ｃと、遊技球Ｂａが遊技盤１０の手前側に零れないように若干高く形成された敷居部３５ｄと、を有している。上記球導入辺Hは、遊技球を遊技盤奥側で転がり移動させるように、全体として遊技盤奥側に向かって下降するように若干量傾斜して形成されている。
【００４３】
ここで、図８に示すように、上壁部３１の内面３１ａ（図６、図７には図示省略）と、開閉部材３５の第２転動面３５ｂとの間の遊技球導入路２６では、第２の大当たりの発生時、開閉部材３５の開放で入賞口４８が空いた遊技球導入路２６内に多数の遊技球Ｂａが入賞する際に、タイミング悪く重なった場合には、上述した複数の遊技球が嵌まって安定化し易い位置Ａにおいて、図８（ｃ）の遊技球Ｂａ１，Ｂａ２のように球詰まりを起こすことがあった。即ち、遊技球Ｂａ１が、第２転動面３５ｂと図面手前側の後壁部３３（図７参照）と前壁部３７内面との間に嵌まったとき、遊技球Ｂａ２が該遊技球Ｂａ１上に重なるように移動してくると、上記位置Ａにおいて、遊技球Ｂａ１，Ｂａ２間の摩擦力、これら遊技球と第２転動面３５ｂ、内面３１ａ、後壁部３３及び前壁部３７との間の摩擦力に起因して動かなくなり、図８（ｃ）のような球詰まりを起こすことがあった。
【００４４】
しかし本実施形態では、図８（ａ）に示すように、第１転動面３５ａに稜線部３５ｃを挟んで連続するように第２転動面３５ｂを形成したことで、点接触する部分ができて、山なり状の稜線部３５ｃで遊技球Ｂａ１，Ｂａ２が安定せず不安定になり易く、従って、球詰まりのバランスを崩し易くし、上記のような球詰まりの発生を確実に防止できるように構成されている。
【００４５】
以上の構成を備えたパチンコ機ＰＭは、図１に示すように、前枠２、ガラス扉５及び球皿６がともに閉塞され施錠された状態で遊技に供される。そして、遊技者が球皿６に遊技球を貯留させて操作ハンドル８を回動操作することにより、パチンコゲーム（弾球遊技）が開始される。即ち、操作ハンドル８が図１の時計回り方向に回動操作されると、球皿６に貯留された遊技球が打球発射装置（不図示）により１球ずつ遊技盤１０の遊技領域ＰＡに打ち出され、以降、弾球遊技が展開される。
【００４６】
遊技領域ＰＡに打ち出された遊技球が、開口１７の位置にある始動入賞装置（不図示）に入賞すると、制御部３０に含まれる主制御基板の抽選機能により特別図柄抽選（第１の大当たりの抽選）が行われ、その結果として、開口部１５の位置にある画像表示装置（不図示）において特別図柄及び装飾図柄が所定時間だけ変動表示される。この特別図柄抽選では、始動入賞装置への入賞時に取得された乱数値に基づき、第１大入賞装置１９の蓋体１９ａを所定ラウンド数だけ開閉動作させる第１の大当たり、第２大入賞装置１４の開閉部材３５を所定ラウンド数だけ開閉動作させる第２の大当たり、並びに、これら第１及び第２の大当たりの何れにもならない外れ、などが決められる。上記画像表示装置の表示部には、特別図柄抽選の決定結果に応じた特別図柄に対応する装飾図柄が表示され、最終的に３つの図柄を一致させるような表示態様（例えば「７７７」「５５５」「３３３」）や、最終的に３つの図柄が一致しない表示態様（例えば「５２７」「３４６」）、などが表示される。
【００４７】
遊技球がセンター飾り１３のワープ導入口１６を介して放出口２４からステージＳに導入された際には、遊技球がステージＳの上を一時的に停留するように左右に転動し、最終的にはステージＳの下方に落下して始動入賞口に入賞したり、該始動入賞口には入賞せずに遊技領域ＰＡに流下して下側のアウト口２３に取り込まれる。
【００４８】
そして、上記第１の大当たりに当選した場合は、下部アタッカーとしての第１大入賞装置１９の蓋体１９ａが、所定回数だけ開放される。つまり、蓋体１９ａが所定時間開放された時点、または例えば９球以上の遊技球が入賞した時点で、該蓋体１９ａが一旦閉鎖されるという該蓋体１９ａの開閉動作が、所定回数（例えば１５回）継続して繰り返される。この間、遊技者による操作ハンドル８の操作で遊技領域ＰＡに打ち出された遊技球Ｂａが、開放した蓋体１９ａに受け入れられ、これにより、第１大入賞装置１９に入賞した各遊技球に夫々対応して払い出される多量の遊技球（賞球）が球皿６上に放出される。
【００４９】
一方、上記第２の大当たりに当選した場合は、上部アタッカーとしての第２大入賞装置１４の開閉部材３５が、段階的（例えば３段階（１６回，３２回，４８回））に異なる回数だけ開放される。つまり、所定時間ずつで所定回数、小刻みに開放される開閉部材３５によって、遊技領域ＰＡに打ち出された遊技球Ｂａが該遊技領域ＰＡの上部において受け入れられて入賞する。このように第２大入賞装置１４に入賞した各遊技球にそれぞれ対応して払い出される多量の遊技球（賞球）が球皿６上に放出される。なお、開閉部材３５の開放時に第２大入賞装置１４に入賞した遊技球Ｂａは、遊技球導入路２６から開口４０に導入されて検出センサで検出された後、排出路３６を通って遊技盤１０裏面側に排出されることになる。
【００５０】
ここで、本発明の特徴である第２大入賞装置１４の開閉部材３５の作用について、図４ないし図１１を参照して説明する。
【００５１】
すなわち、第２大入賞装置１４では、開閉部材３５が図４の一点鎖線で示す閉塞位置から同図の二点鎖線で示す開放位置（ここでは全開位置）まで開放動作を行うのであるが、その際、本発明に係る稜線部３５ｃや第２転動面３５ｂを有さない図８（ｃ）に示す基礎技術では、同図の手前側に位置する前壁部３７内面と第１転動面３５ａとの間に遊技球Ｂａ１，Ｂａ２が摩擦力で押し込まれると、これら遊技球Ｂａ１，Ｂａ２が互いの摩擦力及び周囲との摩擦力で、バランスを崩すことなく安定する虞がある。これにより球詰まりが生じた場合には、遊技者が遊技場の係員を呼び、該球詰まりを係員の手で直接に解除しない限り、解消することは難しい。
【００５２】
これに対し、稜線部３５ｃを備える本実施形態では、図８（ａ）に示すように、上壁部３１の内面３１ａ、前壁部３７内面、同図手前側の後壁部３３内面、第１転動面３５ａの間に遊技球Ｂａ１，Ｂａ２が押し込まれたような場合であっても、これら遊技球Ｂａ１，Ｂａ２は、勾配の大きい第２転動面３５ｂに続く山なり状の稜線部３５ｃ上でバランスを崩され、安定化することができない。即ち、図９（ａ）に示すように下部の遊技球Ｂａ１が稜線部３５ｃ上を矢印ａ方向に転がり移動して、上部の遊技球Ｂａ２が矢印ｂ方向に流下した後、図９（ｂ）に示すように遊技球Ｂａ１が第２転動面３５ｂから矢印ｃ方向に流れ落ち、遊技球Ｂａ２が矢印ｄ方向に落下しつつ第２転動面３５ｂに沿って遊技球Ｂａ１と同様に流れ落ちることになる。このように、本実施形態によると、遊技球Ｂａ１，Ｂａ２は球詰まりを起こす前に崩れてしまい、従って、図８（ｃ）で説明したような球詰まりの発生は、確実に回避される。
【００５３】
すなわち、本実施形態では、開閉部材３５が、開放位置で遊技球Ｂａを転動させる転動部として、平坦状の第１及び第２転動面３５ａ，３５ｂと、これら第１及び第２転動面３５ａ，３５ｂによって山なり状に形成される稜線部３５ｃとを備え、該稜線部３５ｃが、開閉部材３５の転動部が一平面で形成された場合に複数の遊技球が嵌まって安定化し易い位置Ａに対応して設けられている。このため、開閉部材３５が開放した際、上記安定化し易い位置Ａにおいて複数の遊技球が、開閉部材３５、上壁部３１の内面３１ａ、装飾パネル３８内面、前壁部３７内面、後壁部３３内面の間で引っ掛かり、互いにクサビのように挟まる状態になろうとしても、これら遊技球のバランスを稜線部３５ｃにて極めて有効に崩し第２転動面３５ｂに流すことができ、従って、球詰まりの発生を可及的に防止することができる。しかも、このような球詰まり防止構造は、第１転動面３５ａを有する開閉部材３５に稜線部３５ｃ及び第２転動面３５ｂを形成するという極めて簡単な工程で実現可能であるため、製品コストの削減を図ることができる。
【００５４】
また、図１１（ａ），（ｂ）に示す基礎技術のように、装飾パネル３８に形成された縁部３８ａと開放位置での第１転動面３５ａとで成す角度θが鋭角である場合には、透明ガラス板１２内面と第１転動面３５ａとの間に嵌まった遊技球Ｂａ１に対して遊技球Ｂａ２が噛み込むと、ソレノイドの力で閉塞位置に復帰しようとする開閉部材３５の第１転動面３５ａと鋭角状の縁部３８ａとの間に遊技球Ｂａ１，Ｂａ２が余計に噛み込んで、球詰まりを解消することが一層困難になる。
【００５５】
これに対し、図１０（ａ），（ｂ）に示す本実施形態では、装飾パネル３８から延長した前壁部３７に形成された縁部３７ａと、開放位置での第１転動面３５ａとでなす角度θが鈍角であるので、透明ガラス板１２内面と第１転動面３５ａとの間に詰まった遊技球Ｂａ１に対し遊技球Ｂａ２が噛み込もうとしても、ソレノイドの力で閉塞位置に復帰しようとする開閉部材３５の第１転動面３５ａが、縁部３７ａに沿って遊技球Ｂａ１を逃がして遊技球Ｂａ１，Ｂａ２のバランスを崩すように作用する。このため、球詰まりが生じる可能性は、極めて低くなる。
【００５６】
すなわち、本実施形態では、前壁部３７における入賞口４８の縁部３７ａと、開放位置にある開閉部材３５の第１転動面３５ａとでなす角度θが鈍角であるので、開閉部材３５と透明ガラス板１２内面との間で球詰まりが生じようとしても、それら遊技球は、角度θが鋭角である場合に比べて、開閉部材３５が閉塞位置に戻る際の力で前壁部３７の縁部３７ａに沿ってやや移動されて容易にバランスを崩されながら、遊技球導入路２６内に移動させられる。これにより、開閉部材３５に稜線部３５ｃ及び第２転動面３５ｂを設けた球詰まり防止構造による効果を、より高めることができる。
【００５７】
なお、図８（ｂ）に示す開閉部材３５は、図８（ａ）に示した開閉部材３５に対して稜線部３５ｃの位置をやや異ならせたものである。図８（ｂ）の開閉部材３５では、図８（ａ）の開閉部材３５の稜線部３５ｃよりも遊技球導入路２６の内方側（図の左側）に稜線部３５ｃが形成されている。該開閉部材３５では、第１転動面３５ａ全体が図８（ｂ）の手前側に傾斜していることから、稜線部３５ｃが開閉部材３５の長手方向に対して斜めに傾くように形成されている。このような開閉部材３５によっても、上述した開閉部材３５と同様の作用効果を奏することができる。なお、第１の実施形態において図５〜図７を用いて説明した稜線部３５ｃは開閉部材３５の長手方向と直交する方向に形成されていたが、該開閉部材３５においても、稜線部３５ｃを図８（ｂ）と同様に斜めに形成することができる。
【００５８】
＜第２の実施形態＞
次に、本発明に係る第２の実施形態について、図１２ないし図１４を参照して説明する。本実施形態では、開閉部材３５の駆動に係る構成は先の第１の実施形態と異なるが、それ以外の構成は第１の実施形態と同様であるため、同一符号を付してそれらの説明は省略する。なお、本実施形態における図１３（ａ）は、図４等における開閉部材３５の全開位置（二点鎖線位置）より手前の所定角度位置に停止させた状態を示しており、図１４（ａ）は該所定角度位置から全開位置に向けて更に開放した状態を示している。
【００５９】
本実施形態では、開閉部材３５を開閉動作させるためのステッピングモータ４１を備えており、制御部３０によって駆動制御される該ステッピングモータ４１は、第２大入賞装置１４に設けられている。本実施形態では、第１の実施形態において開閉部材３５を開閉作動させていたソレノイド３４（図６参照）を備えてはいない。
【００６０】
本実施形態における制御部３０は、開閉部材３５を全開手前の所定角度位置（図１３（ａ））に停止させて開放状態を形成し、閉塞する際には該所定角度位置から更に開放させた後、閉塞位置に向かわせるようにステッピングモータ４１を制御する。
【００６１】
ステッピングモータ４１は、後壁部３３の裏面に対しモータ本体を固定された状態で、回転軸に固着されたピニオン４１ａを、平歯車４２の歯部４２ａに噛合させている。該平歯車４２はその中心が、後壁部３３裏面に突出している開閉部材３５の支軸３９に固着されている。後壁部３３裏側における平歯車４２の歯部４２ａに対向する位置には、該歯部４２ａの移動を検出して平歯車４２の回転方向及び回転角度（即ち、開閉部材３５の回転方向及び回転角度）を検出するための検出センサ４６が配置されている。なお、符号４２ｂは、平歯車４２の裏面に付されたマークであるが、このマーク４２ｂの位置の違いを見ることで平歯車４２の回転位置が分かる。
【００６２】
本実施形態では、制御部３０により、ステッピングモータ４１が、一定数のパルス信号の分だけ正方向（図１２（ａ）の閉塞位置から開放する方向）と負方向（図１２（ａ）の閉塞位置に閉まる方向）とに回転制御される。この制御により、制御部３０は、開閉部材３５を全開手前の所定角度位置（図１３（ａ））に停止させて開放状態を形成し、閉塞する際には該所定角度位置から正方向に更に開放させてから閉塞位置に向かわせることができる。
【００６３】
以上のように本実施形態によれば、所定角度位置の開放状態で例えば複数の遊技球Ｂａが球詰まりを生じるような場合であっても、該開放位置から図１２（ａ）の閉塞位置に戻る際に、図１４（ａ）のように開閉部材３５が開放方向（正方向）に更に回動してから負方向に回動して第２大入賞装置１４を閉塞するように作動するので、仮に第２大入賞装置１４で球詰まりが生じそうになったとしても、球詰まりを確実に崩して遊技球導入路２６に導入させつつ、開閉部材３５を閉塞位置に円滑に復帰させることができる。このため、本実施形態では、開放位置と閉塞位置との間で行う開閉部材３５の開閉動作が複数回行われる際に、第１の実施形態における開閉部材３５の稜線部３５ｃによる球詰まり解消の効果と共に、ステッピングモータ４１による開閉部材３５の開放角度の変化による球詰まり解消の効果も得ることができ、従って、二重の球詰まり解消効果を期待することができる。
【００６４】
次に、第１の実施形態に係る変形例について、図１５（ａ），（ｂ），（ｃ）を参照して説明する。本変形例では、開閉部材３５の駆動に係るソレノイド３４（図６参照）を用いた構成は第１の実施形態と同様であるが、図１５において、ソレノイド３４は便宜上、図示を省略している。また、本変形例では、後壁部３３の裏面側に振動モータ４３及び近接フラットセンサ４５を配置した点で第１の実施形態と異なるが、それ以外の構成は同様であるため、同一符号を付してそれらの説明は省略する。
【００６５】
図１５（ａ）〜（ｃ）に示すように、後壁部３３の裏面側には、第２大入賞装置１４における開閉部材３５の開閉部分と対向する位置に近接フラットセンサ４５が配置されている。また、後壁部３３裏面側には、該後壁部３３に振動を伝達し得るように該後壁部３３に対して本体を固定された状態の振動モータ４３が配置されている。
【００６６】
該振動モータ４３は、回転軸４３ａの先端に、偏心した状態で偏心おもり部材４４が固定されており、駆動時に偏心おもり部材４４を回転させることで振動を発生させるように構成されている。また、上記近接フラットセンサ４５は、図１５（ａ）に示すように第２大入賞装置１４で発生した球詰まりを検出するものであり、制御部３０は、特別遊技状態において、近接フラットセンサ４５による球詰まりの検出結果（信号）に基づき、振動モータ４３を所定時間だけ（又は近接フラットセンサ４５によって球詰まり解除が検出されるまで）駆動して、球詰まりを崩して解除する。
【００６７】
このような本変形例によると、稜線部３５ｃ及び第２転動面３５ｂを有する開閉部材３５を備えた第２大入賞装置１４において、第１の実施形態における開閉部材３５の稜線部３５ｃによる球詰まり解消の効果と共に、振動モータ４３の駆動で回転させられる偏心おもり部材４４に基づく振動による球詰まり解消の効果も得ることができ、従って、二重の球詰まり解消効果を期待することができる。
【００６８】
以上、本発明をその好適な実施形態に基づいて説明したが、本発明の弾球遊技機は、上記実施形態及び変形例の構成にのみ限定されるものではなく、上記実施形態及び変形例の構成から種々の修正及び変更を施した弾球遊技機も、本発明の範囲に含まれる。
【符号の説明】
【００６９】
１０    遊技盤
１２    光透過板（透明ガラス板）
１４    入賞装置（第２大入賞装置）
３０    制御部
３５    開閉部材
３５ａ    第１転動面
３５ｂ    第２転動面
３５ｃ    稜線部
３７    前壁部
３７ａ    縁部
３９    支軸
４１    ステッピングモータ
４８    入賞口
Ａ    複数の遊技球が嵌まって安定化し易い位置
Ｂａ，Ｂａ１，Ｂａ２    遊技球
ＰＡ    遊技領域
ＰＭ    弾球遊技機（パチンコ機）
θ    角度
【図１】
0005273874.tif 000002
【図２】
0005273874.tif 000003
【図３】
0005273874.tif 000004
【図４】
0005273874.tif 000005
【図５】
0005273874.tif 000006
【図６】
0005273874.tif 000007
【図７】
0005273874.tif 000008
【図８】
0005273874.tif 000009
【図９】
0005273874.tif 000010
【図１０】
0005273874.tif 000011
【図１１】
0005273874.tif 000012
【図１２】
0005273874.tif 000013
【図１３】
0005273874.tif 000014
【図１４】
0005273874.tif 000015
【図１５】
0005273874.tif 000016